(57)【要約】      （修正有）【課題】テント本体の格納時の折り畳み状態を正確に案内し、テント本体の垂れ下がり寸法を少なくし、且つコンパクトな格納を可能にするスライド式開閉テントの天部格納案内機構を提供する。【解決手段】本発明のスライド式開閉テントの天部格納案内機構は、テント本体４によって一定の収納スペースを覆って閉鎖すると共に可動フレーム２１を相互に接近させた状態でテント本体４の格納状態を得るようにしたスライド式開閉テントＴにおいて、可動フレーム２１の間には補助支承フレーム２７が設けられ、この補助支承フレーム２７における補助支承ビーム２７ａは、その上方においてテント本体４を保持状態としていると共に格納状態において可動フレームにおける支承ビーム２１ａの最接近を妨げない位置となるように設けられる。【選択図】図１
2014104775.tif 000002
【特許請求の範囲】
【請求項１】
複数本の門型の可動フレームが互いにその側柱部において中継部材を介して接離自在に連係するとともに、この可動フレームにテント本体を支持させ、前記可動フレームを相互に拡開させた状態で前記テント本体によって一定の収納スペースを覆って閉鎖すると共に可動フレームを相互に接近させた状態でテント本体の格納状態を得るようにしたスライド式開閉テントにおいて、
前記可動フレームの間には前記テント本体における天部を支持する門型の補助支承フレームが設けられ、この補助支承フレームは、互いに隣り合う可動フレームの側柱部上方において、両可動フレームの中間に位置するように支承案内リンクロッドにより支持され、且つこの補助支承フレームにおける補助支承ビームは、その上方においてテント本体を保持状態としていると共に格納状態において可動フレームにおける支承ビームの最接近を妨げないようにその下方に位置するように設けられる構成であることを特徴とするスライド式開閉テントの天部格納案内機構。
【請求項２】
前記格納案内リンクロッドは、上部ピボットを可動フレーム及び補助支持フレームに対し、固定位置で回動させると共に、下部ピボットは、少なくとも可動フレームと補助支承フレームのいずれか一方又は双方に対し、上下スライド回動自在に接続されることにより、補助支承ビームが可動フレームにおける支承ビームの最接近を妨げない位置に案内されることを特徴とする請求項１記載のスライド式開閉テントの天部格納案内機構。
【請求項３】
前記格納案内リンクロッドは、Ｘ状の交差リンクであり、それぞれ補助支承フレームの両隣の可動フレームの間に対称的に配置されることを特徴とする請求項１または２記載のスライド式開閉テントの天部格納案内機構。
【請求項４】
前記収納スペースは、金属素材製品が収納されるスペースとして用いられるものであることを特徴とする前記請求項１、２または３記載のスライド式開閉テントの天部格納案内機構。
【発明の詳細な説明】
【技術分野】
【０００１】
本発明は蛇腹状に伸縮し得るスライド式開閉テントに関するものであって、特にテントを収縮した状態においてテント天部の垂れ下がり状態を均整にし、コンパクトな格納ができるようなスライド式開閉テントの天部格納案内機構に係るものである。
【背景技術】
【０００２】
この種のスライド式開閉テントは地上における倉庫等の建造物として用いられたり、更にはトラックやトレーラ等の車両や、一時的に特殊走行台車等によって移動自在としたパレット台車の荷台の覆いとして用いられたりしている。このようなスライド式開閉テントは、図８（１）（ａ）に示すように駆動フレームを含む複数本の例えば門形を成す可動フレーム２１′が互いにパンタグラフ状のリンク等から成る中継部材２４′を介して接離自在に連係するとともに、この可動フレーム２１′にテント本体４を支持させ、前記可動フレーム２１′を相互に拡開させた状態で前記テント本体４によって一定の荷物の収納スペースを形成するようにしている。このようなスライド式開閉テントにおいて、このものによって構成される収納スペースを開放する必要があるときには、図８（１）（ｂ）に示すようにテント本体４を収縮させ畳むようにするのであるが、このとき当然ながらテント本体４における天部４０は可動フレーム２１′の間に垂れ下がるように畳み込まれる。このため例えば収納スペースの利用如何ではテント本体４の天部４０の垂れ下がりが収容物に触れたり、その結果テント本体４の破損や、それに起因するテント本体４の格納不能状態が生ずるなど不都合を来す場合もあった。
【０００３】
このような不都合を解消すべく、本発明者は特開平７−６２９３２号「スライド式開閉テントの天部支持機構」を提案し、テントの収縮時にもテント本体における天部の垂れ下がりを少なく抑えることのできるスライド式テントの天部支持機構を提案している（特許文献１）。このものにあっては、テント本体４は、柔軟性やいわゆる良好な折り癖を有している場合には、図８（２）（ｂ）に示すように、テント本体４は、２本の可動フレーム２１′の間で、中高状態、即ち断面視Ｗ字状の好ましい格納状態が得られ、従来の手法の欠点を解消し得る。
しかしながら、実際には補助支承フレーム２７′の支承部２７′ａとテント本体４との間は、互いに固定されていないことから、所望の格納状態が得られず、結果的にテント本体の垂れ下がりが大きくなったり、格納時のコンパクトさが得られない状態となる場合もあった。
【先行技術文献】
【特許文献】
【０００４】
【特許文献１】特開平７−６２９３２号公報
【発明の概要】
【発明が解決しようとする課題】
【０００５】
本発明は、このような背景を考慮してなされたものであって、テント本体の格納時の折り畳み状態を正確に案内し、テント本体の垂れ下がり寸法を少なくし、且つコンパクトな格納を可能にした新規なスライド式開閉テントの天部格納案内機構の開発を試みたものである。
【課題を解決するための手段】
【０００６】
請求項１記載のスライド式開閉テントの天部格納案内機構は、複数本の門型の可動フレームが互いにその側柱部において中継部材を介して接離自在に連係するとともに、この可動フレームにテント本体を支持させ、前記可動フレームを相互に拡開させた状態で前記テント本体によって一定の収納スペースを覆って閉鎖すると共に可動フレームを相互に接近させた状態でテント本体の格納状態を得るようにしたスライド式開閉テントにおいて、前記可動フレームの間には前記テント本体における天部を支持する門型の補助支承フレームが設けられ、この補助支承フレームは、互いに隣り合う可動フレームの側柱部上方において、両可動フレームの中間に位置するように支承案内リンクロッドにより支持され、且つこの補助支承フレームにおける補助支承ビームは、その上方においてテント本体を保持状態としていると共に格納状態において可動フレームにおける支承ビームの最接近を妨げないようにその下方に位置するように設けられる構成であることを特徴として成るものである。
【０００７】
請求項２記載のスライド式開閉テントの天部格納案内機構は、前記請求項１記載の要件に加え、前記格納案内リンクロッドについては、上部ピボットを可動フレーム及び補助支持フレームに対し、固定位置で回動させると共に、下部ピボットは、少なくとも可動フレームと補助支承フレームのいずれか一方又は双方に対し、上下スライド回動自在に接続されることにより、補助支承ビームが可動フレームにおける支承ビームの最接近を妨げない位置に案内されることを特徴として成るものである。
【０００８】
請求項３記載のスライド式開閉テントの天部格納案内機構は、前記請求項１または２記載の要件に加え、前記格納案内リンクロッドについては、Ｘ状の交差リンクであり、それぞれ補助支承フレームの両隣の可動フレームの間に対称的に配置されることを特徴として成るものである。
【０００９】
請求項４記載のスライド式開閉テントの天部格納案内機構は、前記請求項１、２または３記載の要件に加え、前記収納スペースについては、金属素材製品が収納されるスペースとして用いられるものであることを特徴として成るものである。
【発明の効果】
【００１０】
請求項１または２記載の発明によれば、補助支承フレームがまずテント本体と接続されていることから、テント本体が折り畳まれてゆくに従い、補助支承フレームの両側に均整が取れた状態で折り畳まれるようになり、可動フレームの格納寸法を大きくしたりすることがない。加えて、可動フレームの最接近を妨げないように支承フレームが可動フレームの下方に位置するから、更にコンパクトな格納状態が実現する。
【００１１】
また請求項３記載の発明によれば、前記効果と共に補助支承フレームは常にその上面高さを一定にするものであり、安定した作動が期待できると共に、可動フレームを連結させる中継部材と干渉しない部位にコンパクトに機構配置ができる。
【００１２】
また請求項４記載の発明によれば、例えば平板スチールコイルなどの金属素材が荷役等に具えて一時的に格納されるスペースとしてスライド式開閉テントが利用されものであり、テントのコンパクトな格納によって、より確実且つ安全な荷役が期待できる。
【図面の簡単な説明】
【００１３】
【図１】本発明を適用したスライド式開閉テントの一例を示す斜視図である。
【図２】同上スライド式開閉テントを展開した状態を示す側面図である。
【図３】同上スライド式開閉テントを収縮させて開放した状態を示す側面図である。
【図４】同上スライド式開閉テントの正面図である。
【図５】本発明を示す一部拡大側面図である。
【図６】同上機構の格納状態へ変化する過程を示す側面図である。
【図７】本発明の他の実施例を示す側面図である。
【図８】従来機構を示す側面図である。
【発明を実施するための形態】
【００１４】
本発明を実施するための形態は、以下述べる実施例をその一つとするものであると共に、この技術思想に基づく種々の改良した実施例も含むものである。
【実施例１】
【００１５】
以下本発明を図示の実施例に基づいて具体的に説明する。本発明が適用されるスライド式開閉テントＴは、ベースフレーム１に対しテントフレーム２を駆動機構３によって開閉自在に設け、このテントフレーム２に対しテント本体４を覆い被せるようにして構成されている。
まずベースフレーム１は、図１に示す実施例にあってはパレット台車１０の荷台１１とほぼ一体化したものであって、パレット台車１０自体は、例えば製鉄プラントの近くの港湾荷役施設近くにほぼ定置され、その内部にスチールコイル等の金属素材製品を一例とした被収納物Ａを保管する。因みにこの実施例におけるスライド式開閉テントＴが適用されるパレット台車１０は、図１から図４に示すように前後に操縦キャビンを具え、横走行もできるような大型特殊トラック状の走行台車Ｖをあたかも潜り込ませるように組み合わせ、この走行台車V により、パレット台車１０が幾分か浮揚するように支持され、生産工場と搬出港湾近くの定置場所との間を移動するような使い方がされる。
もちろん本発明の適用されるスライド式開閉テントＴは、このような特殊な用途のほか、一般の公道走行を行うトラック、トレーラの荷台用幌装置として利用したり、テント倉庫として利用したりすることが可能である。
【００１６】
更に前記ベースフレーム１の長手方向両側部にはレール１２が並設されるものであって、このレール１２は前記テントフレーム２を支持する。このテントフレーム２は荷台１１の一方の端部に端部フレーム２０を設けるとともに、このものより前方寄りに多数の可動フレーム２１を設ける。なお説明の便宜上、端部フレーム２０が設けられている側を後側又は後方とし、反対側を前側又は前方とする。これら可動フレーム２１は、正面視で門型であり、上方部位はテント本体４を支承する支承ビーム２１ａとすると共に、その両側部下方を側柱部２１ｂとする。更に側柱部２１ｂは、その下端に前記レール１２上を転動する車輪２２を具える。
【００１７】
これら多数の可動フレーム２１の更に前方には、可動フレーム２１の拡開収縮を行わせ、テント本体４の展開状態、格納状態を現出させる駆動フレーム２３を具える。なおこの駆動フレーム２３の駆動機構は、原理的にはトロリーチェーンの移動によりなされるものを一要素とするが、これら駆動機構等については、前記先行技術特開平７−６２９３２号や更に他の公知乃至は既存の機構が存在するものであり、その具体的構成についての説明は省略する。
そして前記各可動フレーム２１の間に一例としてＸ形のパンタグラフ状の中継リンクロッド２４を設けるものであり、このものは固定ピボット２５を前記可動フレーム２１における側柱部２１ｂ下方に位置させるとともに、上方をスライドピボット２６として上下方向のずれが許容されるような構成をとる。なお符号２４ａは中継リンクロッド２４の交点ピボットである。またこの中継リンクロッド２４は、可動フレーム２１相互の間だけではなく、これと端部フレーム２０、及び駆動フレーム２３との間にも設けられている。
【００１８】
更にこの可動フレーム２１に対し本発明に係るスライド式開閉テントＴの天部支持機構の一例である補助支承フレーム２７を支持させる。この補助支承フレーム２７は、上方形状を前記可動フレーム２１とほぼ同様の形状とするものであり、一例として金属パイプにより構成される。更に詳しくは、テント本体４を支承案内する補助支承ビーム２７ａと、その両端から下方に延長される補助支承支柱２７ｂとにより構成される。この補助支承フレーム２７が設けられる位置は、互いに隣り合う可動フレーム２１の側柱部２１ｂの上方であり、且つ両可動フレーム２１の中間である。これら補助支承フレーム２７は、支承案内リンクロッド２８を介して可動フレーム２１の上方に支持されるものであり、補助支承フレーム２７は、その補助支承支柱２７ｂの下端をレール１２に至らせておらず、いわば浮き上がり状に支持されている。
【００１９】
更に具体的には、前記支承案内リンクロッド２８は、側面視Ｘ字形状のパンタグラフタイプのものであって、各ロッド要素は、その交点を交差ピボット２８ａとすると共に上方に位置する各上部ピボット２８ｂについては、その一方を可動フレーム２１に、他方を補助支承フレーム２７に、それぞれ回動位置を固定した状態で接続されている。更に支承案内リンクロッド２８の下部ピボット２８ｃは、その一方を可動フレーム２１に、他方を補助支承フレーム２７とに、それぞれ上下スライド並びに回動自在に接続されている。詳細な図示は省略するが例えば可動フレーム２１側における形成されたスライド案内枠に下部ピボット２８ｃを留めたスライド駒が案内され、一方補助支承フレーム２７にあっては、一例として補助支承支柱２７ｂに外嵌されるスリーブ状のスライド枠が下部ピボット２８ｃを支持した状態で昇降できるように構成されている。
【００２０】
そして、補助支承フレーム２７の補助支承ビーム２７ａは、図６に拡大して示すようにその高さ位置を、可動フレーム２１における補助支承ビーム２７ａ相互の最接近を妨げることがないように、下方にやや下がってずれた位置とする。また補助支承フレーム２７における補助支承ビーム２７ａは、その上方におけるテント本体４を保持した状態とする。具体的には、テント本体４の内側に後述する結束ストラップ４２を設けることにより、補助支承ビーム２７ａにこれを結び付けて相互の保持状態を得る。
【００２１】
次にこのようなテントフレーム２に支持されるテント本体４について述べる。このものは上方を覆う天部４０と、そこから下方に垂れ下がるように設けられた側部４１とを具え、その内側に適宜の結束ストラップ４２を具える。この結束ストラップ４２によって前記テントフレーム２を構成する端部フレーム２０、可動フレーム２１、補助支承フレーム２７における補助支承ビーム２７ａ等に固定される。
もちろん結束ストラップ４２は、単なる組紐状のもの、バックルを用いたバンドタイプのもの、面ファスナーによる固定を行うもの等、どのような形態であってもよい。
【００２２】
本発明は、以上述べたような構成を有するものであり、以下本発明の作動態様を説明しながら、テント本体４の格納案内作用を説明する。
＜１．閉鎖状態（始発状態）＞
まず図１に示すテントの閉鎖状態を始発状態とする。この始発状態では駆動フレーム２３が、端部フレーム２０から最も前方の隔たった位置に移動しており、これに伴い可動フレームの相互の間隔も最も拡開した状態となっている。
これによりテント本体４も充分に拡開案内された状態であり、その内部に収納スペースを設け、例えば被収納物Ａを収容している。このとき、前記補助支承フレーム２７は、前記支承案内リンクロッド２８がその交差ピボット２８ａを中心にして側面寸法を最も大きく開いた状態となっている。このとき、補助支承フレーム２７には、支承案内リンクロッド２８の一方の上部ピボット２８ｂが固定されると共に、他の上部ピボット２８ｂは可動フレーム２１においても固定位置で回動自在とされていることから、後述する可動フレーム２１の移動（伸縮、収縮動作）があっても高さ寸法は変わらず、補助支承フレーム２７の上端位置は常に一定の状態となっている。この実施例では、幾分か可動フレーム２１の高さより低くなるような設定を採る。従って、テント本体４の天部４０を見ると、側面視で幾分か凹凸が繰り返されるような形態を採っている。
【００２３】
＜２．収縮途中の状態＞
前述した閉鎖状態からテント本体４を開放する状態を説明する。適宜の駆動機構３により駆動フレーム２３が端部フレーム２０に向かって後方に走行を開始すると、この走行の開始により各可動フレーム２１と補助支承フレーム２７との間が接近してゆく。具体的には、中継リンクロッド２４と、支承案内リンクロッド２８が側面視で幅狭状に折り畳まれながら格納されていく。このとき支承案内リンクロッド２８は、その上部ピボット２８ｂの位置は変わらずに、下部ピボット２８ｃが回動しながら下方にずれるような移動を行い、その折り畳みを許容している。もちろん交差ピボット２８ａも幾分か下方に下がって行く。因みに中継リンクロッド２４については、上方のスライドピボット２６が上方に移動してゆく。
このとき、補助支承フレーム２７の補助支承ビーム２７ａは、そのテント本体４の天部４０と結束ストラップ４２により適宜固定されているから、隣り合う二基の可動フレーム２１で視ると、それらの間に張られたテント本体４の天部４０の伸縮方向の中心位置は、常に保持された状態となっている。このような状態であるから、可動フレーム２１の相互の接近に従い、テント本体４の天部４０は、図６に示すように正確に補助支承ビーム２７ａと可動フレーム２１の支承ビーム２１ａとの間に、均等に折り畳まれるように垂れ下がってゆく。
【００２４】
＜３．テント完全開放（格納）状態＞
このような可動フレーム２１の動きが進行すると、最終的に駆動フレーム２３が端部フレーム２０が最接近した状態、すなわち多くの場合、可動フレーム２１の下端に設けられた車輪２２がほぼ接する限界まで最接近した状態となる。このとき補助支承フレーム２７の補助支承ビーム２７ａは、端部フレーム２０の支承ビーム２１ａより、幾分か下がった位置に格納されており、可動フレーム２１の最接近状態を妨げることがない状態を出現させている。即ち図１、図３、図６等にこの部分の拡大図に示すとおり、まず可動フレーム２１同士の最接近状態における間隙Ｇ１は、補助支承ビーム２７ａの直径Ｄの寸法よりも充分狭くなっている。また支承ビーム２１ａと補助支承ビーム２７ａとの最接近間隙Ｇ２は、テント本体４の２枚重ねの厚みを通すことができる寸法設定となっている。
なお実線で示す状態では補助支承ビーム２７ａの上端高さレベルＬ２は、可動フレーム２１の支承ビーム２１ａの上端高さレベルＬ１より高くなっており、あたかも隣り合う支承ビーム２１ａの下方に形成されたスペースに補助支承ビーム２７ａが半ば潜り込んだ状態となっており、これを補助支承ビーム２７ａが、支承ビーム２１ａより幾分下がった状態あるいはやや下がった状態と表現している。しかしながら、設計如何では仮想線で示すように補助支承ビーム２７ａの上端高さＬ３を支承ビーム２１ａの上端高さレベルＬ１より下方となるような形態とすることももとより差し支えない。
この状態では、テント本体４の天部４０は、図６（ｂ）に示すように均整に、且つ可動フレーム２１の最接近状態を妨げることがない状態で折り畳まれている。結果的に格納状態で長さ方向寸法が約８０％少なくすることができた。
なおこのような状態で、例えば適宜の荷役装置により被収納物Ａの荷役が行われる。パレット台車１０に積貨する場合には、外部から被収納物Ａを搭載し、また出荷等によりパレット台車１０に積貨した被収納物Ａを取り出す場合には、適宜の荷役装置クレーン等で取り出しがなされる。
【００２５】
〔他の実施の形態〕
≪支承案内リンクロッドの変形例≫
本発明は以上述べた実施の形態を一つの基本的な技術思想とするものであり、可動フレーム２１によって支持されるテント本体４の特に天部４０の折り畳み状態を均整にするものである。そのために主要な果たす部材である補助支承フレーム２７と支承案内リンクロッド２８については、更に次のような改変が考えられる。
即ち既に述べた実施例では、二基の可動フレーム２１の間に設けられる補助支承フレーム２７の両側部においてそれぞれＸ字状の交差した支承案内リンクロッド２８を設けていたが、これに代えて図７に示すようにそれぞれ上下に分断されたような支承案内リンクロッド２８が適用し得る。
即ち上部リンク２８１は側面視でＶ字状を成し、その上部ピボット２８ｂについては、可動フレーム２１との接続部位を上方に採り、補助支承フレーム２７との回動位置を下方に採ったものである。これら三点のピボットは、それぞれ上部ピボット２８ｂとして定義する。一方下部リンク２８２は、逆Ｖ字状の山型に形成されており、補助支承フレーム２７における補助支承支柱２７ｂをスライドタイプとし、下部ピボット２８ｃを可動フレーム２１に対して位置を固定したピボットとして構成したものである。このような構成によっても、図７（１）に示すように拡開状態、収縮状態とにおいて既に述べた実施例と同様の作用が成し得る。この実施例の場合には、可動フレーム２１の接近・離反に伴い、補助支承フレーム２７は幾分か上下に移動するものであるが、少なくとも可動フレーム２１が最接近した場合には、補助支承フレーム２７の補助支承ビーム２７ａは、下方に幾分か下がり、可動フレーム２１の最接近状態の妨げにならないように位置している。なおこの図７（１）に示す実施例における下部リンク２８２は、必ずしも逆Ｖ字状とせずに図７（２）に示すようにＶ字状とし、上部リンク２８１と並行に近いような形態であってももとより差し支えない。なおこの上部リンク２８１と下部リンク２８２とを完全に平行に配置した場合、下部リンク２８２においてもスライドピボットを必要とせず、固定的なピボットでも差し支えない。
【００２６】
≪テント開放形態の変形例≫
なお以上述べた実施例では、スライド式開閉テントＴにおいて、一方の端部に端部フレーム２０を固定的に配し、他端側に駆動フレーム２３を移動可能に設けたものであるが、本発明のスライド式開閉テントＴの開閉状態はこのようなタイプに限られない。即ち図示を省略するが、荷台の両端部に端部フレームを固定的に配し、その中間から外側に向かってテント本体が分割されて駆動フレームが両端に向かって開放されるようにしてもよい。なおこの分割装置は、荷台の長手方向中心であってもよいし、いずれかに寄って前後不均等にスライド式開閉テントが開放されるようにしてもよい。
また駆動フレームを荷台の両端に配して、荷台上をテントがアコーディオン状に自在に開閉できるようにしてもよい。この場合には駆動フレームの端面にシャッタやシート等の閉鎖手段を具えるようにする。
【符号の説明】
【００２７】
Ｔ      スライド式開閉テント
Ａ      被収納物
Ｖ      走行台車
Ｇ１    間隙（稼動フレーム同士の間）
Ｇ２    間隙（支承ビームと補助支承ビームとの間）
Ｌ１  （支承ビームの）上端高さレベル  
Ｌ２  （補助支承ビームの）上端高さレベル
Ｌ３  （補助支承ビームの）上端高さレベル
１      ベースフレーム
２      テントフレーム
３      駆動機構
４      テント本体
１０    パレット台車
１１    荷台
１２    レール
２０    端部フレーム
２１    可動フレーム
２１ａ  支承ビーム
２１ｂ  側柱部
２２    車輪
２３    駆動フレーム
２４    中継リンクロッド
２４ａ  交点ピボット
２５    固定ピボット
２６    スライドピボット
２７    補助支承フレーム
２７ａ  補助支承ビーム
２７ｂ  補助支承支柱
２８    支承案内リンクロッド
２８ａ  交差ピボット
２８ｂ  上部ピボット
２８ｃ  下部ピボット
２８１  上部リンク
２８２  下部リンク
４０    天部
４１    側部
４２    結束ストラップ
【図１】
2014104775.tif 000003
【図２】
2014104775.tif 000004
【図３】
2014104775.tif 000005
【図４】
2014104775.tif 000006
【図５】
2014104775.tif 000007
【図６】
2014104775.tif 000008
【図７】
2014104775.tif 000009
【図８】
2014104775.tif 000010